(57)【要約】【課題】既知の分類用ホルダーは、通常、紙葉の形を呈している書類が往々にして無秩序に分類されていて、書類の一部を取り扱い中に紛失する恐れがあることである。【解決手段】本発明は、書類のための少なくとも２つのフラップを有する書類分類用ホルダーに関する。同ホルダーは、裏表紙２上、および裏表紙２に向かって折り重ねたフラップ４、５、６の下に順々に積み重ねた紙葉を整理できるように、２つの表紙１、２の綴じ具３で、紛失不能状態に連結されたノート紙からなることを特徴とする。本発明は、文房具分野に適用される。
2006507955.tif 000002
【特許請求の範囲】
【請求項１】
綴じ具３で相互に連結されている表表紙１と裏表紙２からなるカバーを含み、ホルダー内に存在する書類７を整理するために、表紙の内の一方である裏表紙２は、下方および上方の内の少なくとも１つの縁部に沿って表紙の内側に折り返せるフラップ４、５を含み、その側方縁部に沿って、別のフラップ６を有する、少なくとも２つのフラップ４、５、６を有する書類分類用ホルダーであって、
書類が、裏表紙２の上で、表紙に向かって折り返されるフラップ４、５、６の下に重なり合って順々に積み重なるページ７の整理を可能にするために、２つの表紙１、２の綴じ具３で、紛失不能な状態で綴じられているノート紙のページ７から構成されることを特徴とする書類分類用ホルダー。
【請求項２】
フラップ４、５、６を含む表紙２が裏表紙であることを特徴とする、請求項１に記載の書類分類用ホルダー。
【請求項３】
綴じ具３が、ノート紙のページ７をフラップ４、５、６付き表紙２上に平らに整理することを可能にする螺旋型であることを特徴とする、請求項１または２に記載の書類分類用ホルダー。
【請求項４】
ホルダーが、丸穴９から裏表紙に対して滑動し、綴じ具３に並行して反対側の表紙１上を単一保持で、または同表紙１の少なくとも１つの角上に折り返せる、リベット１０またはそれに類似する手段で、表表紙１または裏表紙２に固定されている弾性体８からなる、少なくとも１つの閉鎖手段で閉鎖できることを特徴とする、請求項１乃至３の何れかに記載の書類分類用ホルダー。
【請求項５】
表表紙１または裏表紙２が、表紙の上縁部と下縁部および側縁部にそれぞれ沿っている３つのフラップ４、５、６を含むことを特徴とする、請求項１乃至４の何れかに記載の書類分類用ホルダー。
【発明の詳細な説明】
【技術分野】
【０００１】
本発明は、少なくとも２つのフラップを有する書類分類用ホルダーに関する。
【背景技術】
【０００２】
通常、裏表紙が、下方および上方の内の少なくとも１つの縁部および垂直すなわち側方縁部に沿ってそれぞれ位置する、少なくとも２つのフラップを含む、折りたたみ区域からなる綴じ具で連結されている表と裏の２つの表紙からなるカバーを含むこのようなホルダーは知られている。フラップは、ホルダー内に存在する書類を整理するために、裏表紙の内側に折り畳める。
【発明の開示】
【発明が解決しようとする課題】
【０００３】
このようなホルダーの欠点は、通常、紙葉の形を呈している書類が往々にして無秩序に分類されていて、書類の一部を取り扱い中に紛失する恐れがあることである。
【課題を解決するための手段】
【０００４】
本発明は、綴じ具で相互に集合されている表表紙と裏表紙からなるカバーを含み、表紙の内の一方が、ホルダー内に存在する書類を整理するために、下方および上方の内の少なくとも１つの縁部に沿って表紙の内側に折り返せるフラップを含み、その側方縁部に沿って、別のフラップを有し、書類が、裏表紙の上で、表紙に向かって折り返されるフラップの下に重なり合って順々に積み重なるページの整理を可能にするために、２つの表紙の綴じ具で、紛失不能な方法で綴じられているノート紙のページからなることを特徴とする、少なくとも２つのフラップを有する書類分類用ホルダーを提案することにより、既知の分類用ホルダーの上記欠点を排除することを目的としている。
【０００５】
フラップを含む表紙は、裏表紙であることが好ましい。
【０００６】
綴じ具は、ノート紙のページをフラップ付き表紙上に平らに整理することを可能にする螺旋型であると有利である。
【０００７】
ホルダーは、丸穴から裏表紙に対して滑動し、綴じ具に並行して反対側の表紙上を単一保持で、または同表紙の少なくとも１つの角上に折り返せる、リベットまたはそれに類似する物で、表表紙または裏表紙に固定されている弾性体バンドからなる、少なくとも１つの閉鎖手段で閉鎖できる。
【０００８】
表表紙または裏表紙は、表紙の上縁部と下縁部および側縁部にそれぞれ沿っている３つのフラップを含んでいる。
【発明の効果】
【０００９】
利用者は、諸ノート紙７を紛失せずにホルダー内に秩序正しく整理できる。なお、利用者は、書類７の第１部を裏表紙２とフラップ４、５、６との間の格納部内に整理し、残りの書類をフラップ４、５、６上に配置し、次いでホルダーを閉じることによって一種の区分を行なって、書類７を２つの部分に区分できる。それは、利用者が残していた仕事を後で再開できる上で役立つことができる。
【発明を実施するための最良の形態】
【００１０】
本発明は、本発明の１つの実施態様を例としてのみ示されている添付図を参照して、以下の説明の中で良く理解され、本発明のその他の目的、特性、詳細な点および利点がより明らかになるであろう。
【実施例】
【００１１】
諸図を参照すると、書類分類用ホルダーは、表表紙、ならびに綴じ具３で表表紙１に連結されている裏表紙２からなる。
【００１２】
裏表紙２は、同裏表紙の上方と下方および側方の縁部に沿って、それぞれにフラップ４、５、６を含み、同３つのフラップは、裏表紙２とそのフラップ４、５、６で限定された格納部内に書類７を受入れ、整理できるように、裏表紙２の内側に折り返せる。
【００１３】
ホルダーは、この場合には、弾性体バンド８からなる閉鎖手段で閉鎖でき、同弾性体バンドは、２つの丸穴９で、裏表紙２の背面に滑動状態に取り付けられており、２つのリベットまたはその他の封鎖用または固定用手段で裏表紙２の両端に固定されて、それによって表表紙において、弾性体バンドをホルダーの２つの角に掛けることにより、表表紙１をフラップ４、５、６上に折り重ね状態に閉鎖できる。したがって、フラップ６に並行して折り重なる弾性体バンドでは、それ自体知られている金属製の戻り防止突起（ｅｒｇｏｔ  ａｎｔｉ−ｒｅｔｏｕｒ）で封鎖が行なわれる。もちろん、閉鎖用弾性体バンド８は、裏表紙２の背面の向かい合わせの両角に折り重ねることによってホルダーを閉鎖するために、表表紙１に同一方法で滑動状に取り付けて、固定させることができる。弾性体バンドはまた、ホルダーを閉鎖するために、綴じ具にほぼ並行な方向に従って、対応する表紙上に弾性体バンドを折り重ねて、表表紙１または２の一方または他方に固定できる。
【００１４】
本発明によれば、書類７は、裏表紙２および同裏表紙２の上で折り返されるフラップ４、５、６で確定される格納部内に順々に積み重なるページ７の整理を可能にするために、折り重なる２つの表紙１、２の綴じ具３で、紛失不能な方法で綴じられているノート紙のページからなる。
【００１５】
綴じ具は、各ノート紙７が裏表紙２上に完全に平らに置かれてホルダー内に整理されることができるように、対応する穿孔を通って表紙１、２および書類７を一緒に連結する螺旋からなる。螺旋とは、必ずしも螺旋状の単一の線を指すのではなく、各紙葉の穿孔内の二重の線であり得る。
【００１６】
したがって、利用者は、諸ノート紙７を紛失せずにホルダー内に秩序正しく整理できる。なお、利用者は、書類７の第１部を裏表紙２とフラップ４、５、６との間の格納部内に整理し、残りの書類をフラップ４、５、６上に配置し、次いでホルダーを閉じることによって一種の区分を行なって、書類７を２つの部分に区分できる。それは、利用者が残していた仕事を後で再開できる上で役立つことができる。
【００１７】
表紙１、２とフラップ４、５、６は、例えば、ボール紙、透明または不透明な適切な色彩のプラスチックで作成できる。
【００１８】
また、フラップ４、５、６は、裏表紙２に付属する代わりに、本発明の範囲を出ることなく、表表紙１の上方縁部と下方縁部および垂直すなわち側方縁部のそれぞれに沿って形成されることができる。
【００１９】
ホルダーは、２つのフラップだけ、すなわち表表紙１または裏表紙２の下方縁部に沿って存在するフラップおよび同表紙の側方縁部に沿って存在するフラップだけを含むことが出来る。フラップ付き表紙の中に自由な書類、すなわち綴じ具に連結されていない書類を格納し、そして万年筆や計算機などのアクセサリを格納できる。
【図面の簡単な説明】
【００２０】
【図１】開放状態の本発明の書類分類用ホルダーの斜視図である。
【図２】図１のホルダーの別の開放状態の斜視図である。
【図３】閉鎖状態にあるホルダーの斜視図である。
【符号の説明】
【００２１】
１  表表紙
２  裏表紙
３  綴じ具
４  フラップ
５  フラップ
６  フラップ
７  書類
８  弾性体バンド
９  丸穴
１０  リベット
【図１】
2006507955.tif 000003
【図２】
2006507955.tif 000004
【図３】
2006507955.tif 000005
【国際調査報告】
2006507955.tif 000006
2006507955.tif 000007
2006507955.tif 000008
2006507955.tif 000009